(57)【要約】【課題】蛍光灯等の外光の映り込み等を防止することができ、表示装置の表示面に投影される映像の視認性を向上させることができる情報入出力システムを提供する。【解決手段】情報入力装置３とともに情報入出力システム１を構成する表示装置２の表示面２ａに、外光を拡散させる光拡散部材８８を配設し、この光拡散部材８８によって蛍光灯等の外光を拡散するようにした。これにより、蛍光灯等の外光の映り込み等を防止することができるので、表示装置２の表示面２ａに投影される映像の視認性を向上させることができる。【選択図】　　　　図１５
2004005200.tif 000002
【特許請求の範囲】
【請求項１】
画像を表示する表示装置と、
この表示装置の表示面上に発光手段からの光によって二次元の情報入力領域を生成し、前記発光手段からの光を受光手段で受光することで前記情報入力領域に挿入された物体の二次元の位置座標を検出して入力情報として出力する情報入力装置と、
を備え、
前記表示装置の前記表示面に、外光を拡散させる光拡散部材を配設したことを特徴とする情報入出力システム。
【請求項２】
前記光拡散部材のヘーズ値を、当該光拡散部材により拡散された乱反射光の前記受光手段に対する入射を抑制可能な値に設定することを特徴とする請求項１記載の情報入出力システム。
【請求項３】
前記光拡散部材のヘーズ値は、１０％以下に設定されることを特徴とする請求項２記載の情報入出力システム。
【請求項４】
前記光拡散部材の全光線透過率は、８５％以上であることを特徴とする請求項３記載の情報入出力システム。
【請求項５】
乱反射光の反射を抑制する乱反射抑制部材を、少なくとも前記情報入力装置の前記受光手段側に位置する前記表示装置の前記表示面の周囲を覆うように配設したことを特徴とする請求項１ないし４の何れか一記載の情報入出力システム。
【請求項６】
システム筐体の内部を光吸収率の高い黒色部材で構成していることを特徴とする請求項１ないし５の何れか一記載の情報入出力システム。
【発明の詳細な説明】
【０００１】
【発明の属する技術分野】
本発明は、情報の入力や選択をするためにペン等の指示手段や指先等の所定物体によって指示された位置座標を光学的に検出する情報入力装置を備える情報入出力システムに関する。
【０００２】
【従来の技術】
従来、この種の情報入出力システムに備えられる情報入力装置としては、ペンで情報入力面を押さえた時、或いはペンが情報入力面に接近した時に、静電又は電磁誘導によって電気的な変化を検出するものがある。
【０００３】
また、他の方式として、特開昭６１−２３９３２２号公報等に示されるような超音波方式のタッチパネル情報入力装置がある。これは簡単にいうと、パネル上に送出された表面弾性波をパネルに触れることにより減衰させ、その位置を検出するものである。
【０００４】
しかし、静電又は電磁誘導によって座標位置を検出するものでは、座標入力面に電気的なスイッチ機能を必要とするため製造コストが高く、また、ペンと本体とをつなぐケーブルが必要であるため操作性に難点がある。
【０００５】
また、超音波方式のものでは、指入力を前提としているため、パネル上で吸収を伴うような材質（柔らかく弾力性を伴う材質）でペン入力を行わせ直線を描いた場合、押した時点では安定な減衰が得られるが、ペンを移動するとき十分な接触が得られず、直線が切れてしまう。かといって、十分な接触を得るために、ペンを必要以上の力で押し付けてしまうと、ペンの移動に伴い、ペンの持つ弾力性のため応力を受け歪を生じ、移動中に復帰させる力が働く。そのため、一旦、ペン入力時に曲線を描こうとすると、ペンを押える力が弱くなり歪を元へ戻す力が優るため復帰して安定な減衰が得られず、入力が途絶えたと判断されてしまう。このためにペン入力としては信頼性が確保できないという問題を有する。
【０００６】
しかしながら、このような従来技術が有する問題点については、特開平５−１７３６９９号公報や特開平９−３１９５０１号公報に開示されているもの等に代表される光学式の情報入力装置によって解消され、比較的簡単な構成により、タッチパネル型の情報入力装置が実現できる。
【０００７】
そして、このような光学式の情報入力装置は、コンピュータに接続された背面投影型プロジェクタ（液晶リアプロジェクタ）等の表示装置に組み合わされて情報入出力システムとして使用される。より具体的には、文字・絵・図形・グラフィックの画像を表示装置のスクリーンに投影した状態で、スクリーンの投影面（表示面）の前面に配設された情報入力装置（書き込み面）を用いて手書きの情報をコンピュータに取り込む処理を行う。そして、コンピュータ内で手書きの情報と画像情報とを合成し、再度、表示装置を介してリアルタイムで表示できるようにしている。
【０００８】
このような情報入出力システムでは、表示装置によって表示されている画面上の画像に対して、情報入力装置を用いて入力した画像を上書き画像として重ねて表示できるため、会議、プレゼンテーション、教育現場等において既に広く利用されており、その使用効果が高く評価されている。また、このような情報入出力システムに音声・画像等の通信機能を組み込み、遠隔地間を通信回線で接続することにより、電子会議システムとしても利用されている。
【０００９】
【発明が解決しようとする課題】
近年、このような光学式の情報入力装置を備えた情報入出力システムは、パーソナルコンピュータ等の普及に伴い、情報の入力や選択をするための有力なツールとして位置付けられ、上述の公開公報に開示されたもの以外にもさらに検討されているが、まだ、完全とはいえず、本格的な実用化に向けていまだ解決されねばならない課題が多々存在する。
【００１０】
光学式の情報入力装置が組み合わされる表示装置の一つである背面投影型プロジェクタ（液晶リアプロジェクタ）は、概略的には、液晶パネル等の光学素子を用いた光学系等からなる映像源から出射される映像光を、投射レンズを介して透過型スクリーンに拡大投影するものである。このような背面投影型プロジェクタ（液晶リアプロジェクタ）は、比較的安価に大画面を構成することができるために、情報入力装置に組み合わされて情報入出力システムを構成することが多い。
【００１１】
近年、このような背面投影型プロジェクタ（液晶リアプロジェクタ）は、その輝度の向上により室内の蛍光灯等の照明を落とさなくとも使用可能な程度に改良されてきているが、そのように蛍光灯等の照明を落とさない場合には、透過型スクリーンに蛍光灯等からの外光が映り込んでしまい、映像の視認性を劣化させてしまうという問題がある。
【００１２】
また、このような情報入出力システムに備えられる光学式の情報入力装置は、超音波方式等による場合と異なり検出方式が光であるため、太陽光や蛍光灯等からの外光と検出光とが入り混じってしまった場合には、検出Ｓ／Ｎ比が著しく低下し、誤動作を生じる場合がある。
【００１３】
本発明の目的は、蛍光灯等の外光の映り込み等を防止することができ、表示装置の表示面に投影される映像の視認性を向上させることができる情報入出力システムを提供することである。
【００１４】
本発明の目的は、検出光以外の光による情報入力装置における検出Ｓ／Ｎ比の低下や、情報入力装置の誤動作を防止することができる情報入出力システムを提供することである。
【００１５】
【課題を解決するための手段】
請求項１記載の発明の情報入出力システムは、画像を表示する表示装置と、この表示装置の表示面上に発光手段からの光によって二次元の情報入力領域を生成し、前記発光手段からの光を受光手段で受光することで前記情報入力領域に挿入された物体の二次元の位置座標を検出して入力情報として出力する情報入力装置と、を備え、前記表示装置の前記表示面に、外光を拡散させる光拡散部材を配設した。
【００１６】
したがって、光拡散部材によって蛍光灯等の外光が拡散されることにより、蛍光灯等の外光の映り込み等を防止することが可能になるので、表示装置の表示面に投影される映像の視認性を向上させることが可能になる。
【００１７】
請求項２記載の発明は、請求項１記載の情報入出力システムにおいて、前記光拡散部材のヘーズ値を、当該光拡散部材により拡散された乱反射光の前記受光手段に対する入射を抑制可能な値に設定する。
【００１８】
したがって、情報入力装置における検出Ｓ／Ｎ比の低下や、情報入力装置の誤動作を防止することが可能になる。
【００１９】
請求項３記載の発明は、請求項２記載の情報入出力システムにおいて、前記光拡散部材のヘーズ値は、１０％以下に設定される。
【００２０】
したがって、光拡散部材により拡散された乱反射光の拡がりが狭くなることにより、受光手段に対する乱反射光の入射を抑制することが可能になる。
【００２１】
請求項４記載の発明は、請求項３記載の情報入出力システムにおいて、前記光拡散部材の全光線透過率は、８５％以上である。
【００２２】
したがって、表示装置の表示面に投影される映像を十分に透過させることが可能になるので、表示映像の視認性の劣化が防止される。
【００２３】
請求項５記載の発明は、請求項１ないし４の何れか一記載の情報入出力システムにおいて、乱反射光の反射を抑制する乱反射抑制部材を、少なくとも前記情報入力装置の前記受光手段側に位置する前記表示装置の前記表示面の周囲を覆うように配設した。
【００２４】
したがって、受光手段に対する乱反射光の入射をさらに抑制することが可能になる。
【００２５】
請求項６記載の発明は、請求項１ないし５の何れか一記載の情報入出力システムにおいて、システム筐体の内部を光吸収率の高い黒色部材で構成している。
【００２６】
したがって、乱反射光のシステム筐体内における再反射が抑制されることにより、さらなる受光手段に対する乱反射光の入射の抑制が可能になる。
【００２７】
【発明の実施の形態】
本発明の実施の一形態を図１ないし図１７に基づいて説明する。ここで、図１は情報入出力システム１を概略的に示す外観斜視図である。図１に示すように、情報入出力システム１は、背面投影型プロジェクタ（液晶リアプロジェクタ）である表示装置２及び情報入力装置３で構成されるパネル部４と、制御装置であるパーソナルコンピュータ等のコンピュータ，原稿の画像を読み取るためのスキャナ６，画像データを記録紙に出力するプリンタ，ビデオプレイヤー（いずれも図示せず）を収納するとともにパネル部４を所定の高さで支持する機器収納部５と、を主体に構成されている。
【００２８】
パネル部４を構成する表示装置２及び情報入力装置３は、表示装置２の表示面２ａ側に情報入力装置３が位置するようにして一体化され、表示装置２の表示面２ａに情報入力装置３の情報入力領域３ａが位置するようにしてパネル部４に収納されている。このように、パネル部４は表示装置２及び情報入力装置３を収納して、情報入出力システム１の表示面（表示装置２の表示面２ａ）及び書き込み面（情報入力領域３ａ）を構成している。なお、表示装置２としては、電子黒板として利用可能な５０インチや７０インチ等の大画面タイプのものが用いられている。
【００２９】
次に、情報入力装置３について詳細に説明する。なお、本実施の形態の情報入出力システム１に適用し得る情報入力装置３としては、検出方式の異なる種々の方式のものが考えられる。そこで、以下においては、情報入力装置３として、検出方式の異なる情報入力装置を数例挙げ、その基本構成及び原理について説明する。
【００３０】
Ａ．第１の情報入力装置
まず、第１の情報入力装置３Ａについて図２ないし図６に基づいて説明する。この第１の情報入力装置３Ａは、いわゆる再帰光遮蔽方式の情報入力装置である。
【００３１】
ここで、図２は第１の情報入力装置３Ａの構成を概略的に示す説明図である。図２に示すように、情報入力装置３Ａは、表示装置２の表示面２ａのサイズに対応したサイズで横長の四角形状の情報入力領域３ａを備えている。この情報入力領域３ａは、手書きにより文字や図形等の入力を可能にする領域である。この情報入力領域３ａの下方両端部に位置する角部の近傍には、発光と受光とを行う光学ユニット２７（左側光学ユニット２７Ｌ、右側光学ユニット２７Ｒ）が所定の取付角度で設けられている。これらの光学ユニット２７からは、平面若しくはほぼ平面をなし、例えばＬ１，Ｌ２，Ｌ３，・・・，Ｌｎ（Ｒ１，Ｒ２，Ｒ３，・・・，Ｒｎ）といった光（プローブ光）の束で構成される扇形状で薄膜状の光束膜が、情報入力領域３ａの全域に行き渡るように表示装置２の表示面２ａの表面に沿って平行に投光される。
【００３２】
また、情報入力装置３の情報入力領域３ａの下部を除く周辺部には、再帰性反射部材２８が設けられている。この再帰性反射部材２８は、例えば円錐形状のコーナーキューブを多数配列して形成されており、入射した光をその入射角度によらずに所定の位置に向けて反射する特性を有している。例えば、左側光学ユニット２７Ｌから投光されたプローブ光Ｌ３は、再帰性反射部材２８によって反射され、再び同一光路を辿る再帰反射光Ｌ３´として左側光学ユニット２７Ｌにより受光されることになる。つまり、再帰性反射部材２８によっても情報入力領域３ａが形成されている。
【００３３】
次に、光学ユニット２７について説明する。ここで、図３は光学ユニット２７の構造を概略的に示す構成図である。なお、図３はｘ−ｚ方向を主体に示しているが、二点鎖線で示す部分については同一の構成要素を別方向（ｘ−ｙ方向、又はｙ−ｚ方向）から見た図である。
【００３４】
図３に示すように、光学ユニット２７は、投光手段２９と受光手段３０とを備えている。投光手段２９は、スポットをある程度絞ることの可能なＬＤ（Ｌａｓｅｒ　Ｄｉｏｄｅ：半導体レーザ），ピンポイントＬＥＤ（Ｌｉｇｈｔ　Ｅｍｉｔｔｉｎｇ　Ｄｉｏｄｅ：発光ダイオード）等の光源である発光手段３１を備えている。この発光手段３１から表示装置２の表示面２ａに対して垂直に照射された光は、一方向の倍率のみを変更可能なシリンドリカルレンズ３２によってｘ方向にコリメートされる。シリンドリカルレンズ３２によってｘ方向にコリメートされた光は、シリンドリカルレンズ３２とは曲率の分布が直交する２枚のシリンドリカルレンズ３３，３４によりｙ方向に対して集光される。つまり、これらのシリンドリカルレンズ群（シリンドリカルレンズ３２，３３，３４）の作用により、発光手段３１からの光を線状に集光した領域がシリンドリカルレンズ３４の後方に形成されることになる。ここに、ｙ方向に狭くｘ方向に細長いスリットを有するスリット板３５を配置する。したがって、シリンドリカルレンズ群（シリンドリカルレンズ３２，３３，３４）を通過した光は、スリット板３５のスリット位置において、線状の二次光源３６を形成する。二次光源３６から発した光は、ハーフミラー３７で折り返され、表示装置２の表示面２ａの垂直方向には広がらずに表示面２ａの表面に沿った平行光で、表示面２ａと平行方向には二次光源３６を中心にした扇形状の光束膜となって情報入力領域３ａを進行する。換言すれば、扇形状の光が情報入力領域３ａを形成する。これらのシリンドリカルレンズ群（シリンドリカルレンズ３２，３３，３４）とスリット板３５とによって、集光光学系が形成されている。
【００３５】
前述したように、扇形状となって情報入力領域３ａを進行した光束膜は、再帰性反射部材２８で再帰的に反射され、再び同一光路を辿ってハーフミラー３７に戻ることになる。したがって、再帰性反射部材２８で再帰的に反射された光束膜も情報入力領域３ａを形成する。
【００３６】
再帰性反射部材２８で反射されてハーフミラー３７に戻った再帰反射光は、ハーフミラー３７を透過して受光手段３０に入射する。受光手段３０に入射した再帰反射光は、集光レンズであるシリンドリカルレンズ３８を通って線状にされた後、このシリンドリカルレンズ３８から距離ｆ（ｆはシリンドリカルレンズ３８の焦点距離）の間隔で設けられたＣＣＤ（Ｃｈａｒｇｅ　Ｃｏｕｐｌｅｄ　Ｄｅｖｉｃｅ）であって受光手段として機能する受光素子３９において、プローブ光毎に異なる位置で受光される。なお、本実施の形態の受光素子３９は、１次元ＣＣＤであって、その画素数は２，０４８画素とされている。
【００３７】
詳細には、再帰性反射部材２８で反射された再帰反射光は、ｚ軸方向ではシリンドリカルレンズ３８の作用を受けず、コリメートされたまま受光素子３９に到達する。また、再帰反射光は、表示装置２の表示面２ａと平行方向では、シリンドリカルレンズ３８の中心に集光するように伝搬し、その結果、シリンドリカルレンズ３８の作用を受けてシリンドリカルレンズ３８の焦点面に設置された受光素子３９上に結像する。これにより、受光素子３９上に再帰反射光の有無に応じて光強度の分布が形成される。すなわち、再帰反射光を指示手段Ｐで遮った場合、受光素子３９上の遮られた再帰反射光に相当する位置に光強度が弱い点（後述するピーク点）が生じることになる。再帰反射光を受光した受光素子３９は、再帰反射光（プローブ光）の光強度分布に基づいた電気信号を生成し、前述したコントローラ１０に対して出力する。なお、図３に示すように、二次光源３６とシリンドリカルレンズ３８とは、ハーフミラー３７に対して共に距離ｄの位置に配設されて共役な位置関係にある。
【００３８】
ここで、図４は受光素子３９から再帰反射光の光強度分布に基づいた電気信号が入力され、情報入力領域３ａを進行する光が遮られた位置の座標を特定する処理を実行するコントローラ１０のブロック構成図である。このコントローラ１０は、光学ユニット２７（左側光学ユニット２７Ｌ、右側光学ユニット２７Ｒ）の発光手段（ＬＤ）３１の発光制御と、光学ユニット２７（左側光学ユニット２７Ｌ、右側光学ユニット２７Ｒ）の受光素子３９からの出力の演算を行うものである。図４に示すように、コントローラ１０には、各部を集中的に制御するＣＰＵ４０が設けられており、このＣＰＵ４０には、プログラム及びデータを記録するＲＯＭ４１、各種データを書き換え自在に格納してワークエリアとして機能するＲＡＭ４２、コンピュータに接続するためのインタフェース４３、Ａ／Ｄ（Ａｎａｌｏｇ／Ｄｉｇｉｔａｌ）コンバータ４４及びＬＤドライバ４５がバス接続されている。また、ＣＰＵ４０には、各種のプログラムコード（制御プログラム）を格納するハードディスク４６や不揮発性のメモリであるＥＥＰＲＯＭ（Ｅｌｅｃｔｒｉｃａｌｌｙ　Ｅｒａｓａｂｌｅ　Ｐｒｏｇｒａｍｍａｂｌｅ　ＲｅａｄＯｎｌｙ　Ｍｅｍｏｒｙ）４７がバス接続されている。ここに、ＣＰＵ４０、ＲＯＭ４１及びＲＡＭ４２によりマイクロコンピュータが構成されている。このようなマイクロコンピュータには、各種のプログラムコード（制御プログラム）を記録した記録媒体４９、すなわち、フレキシブルディスク、ハードディスク、光ディスク（ＣＤ−ＲＯＭ，ＣＤ−Ｒ，ＣＤ−Ｒ／Ｗ，ＤＶＤ−ＲＯＭ，ＤＶＤ−ＲＡＭなど）、光磁気ディスク（ＭＯ）、メモリカードなどに記録されているプログラムコードを読み取る装置であるフレキシブルディスクドライブ装置、ＣＤ−ＲＯＭドライブ装置、ＭＯドライブ装置等のプログラム読取装置４８が接続されている。
【００３９】
受光素子３９からの出力を演算する回路として、受光素子３９の出力端子に、アナログ処理回路５１が図のように接続される。受光素子３９に入射した反射光は、受光素子３９内で光の強度に応じた電圧値を持つアナログの画像データに変換され、アナログ信号として出力される。このアナログ信号は、アナログ処理回路５１で処理された後、Ａ／Ｄ（Ａｎａｌｏｇ／Ｄｉｇｉｔａｌ）コンバータ４４によってデジタル信号に変換されてＣＰＵ４０に渡される。この後、ＣＰＵ４０によって指示手段Ｐの二次元座標の演算が行われる。
【００４０】
ハードディスク４６に格納された各種のプログラムコード（制御プログラム）または記録媒体４９に記録された各種のプログラムコード（制御プログラム）は、コントローラ１０への電源の投入に応じてＲＡＭ４２に書き込まれ、各種のプログラムコード（制御プログラム）が実行されることになる。
【００４１】
続いて、制御プログラムに基づいてＣＰＵ４０によって実行される機能について説明する。ここでは、本実施の形態の情報入力装置３の備える特長的な機能である座標検出処理について以下において具体的に説明する。
【００４２】
ここで、図５は情報入力装置３の情報入力領域３ａ内の一点を指示手段Ｐで指し示した一例を示す正面図である。図５に示すように、例えば、左側光学ユニット２７Ｌから照射されたＬ１，Ｌ２，Ｌ３，・・・，Ｌｎといったプローブ光で構成される扇形状の光の中でｎ番目のプローブ光Ｌｎが指示手段Ｐによって遮られた場合、そのプローブ光Ｌｎは再帰性反射部材２８に到達することはない。
【００４３】
このとき受光素子３９上の光強度分布を考える。ここで、図６は受光素子３９の検出動作を模式的に示す説明図である。指示手段Ｐが情報入力領域３ａ内に挿入されていなければ、受光素子３９上の光強度分布はほぼ一定であるが、図６に示すように指示手段Ｐが情報入力領域３ａ内に挿入されてプローブ光Ｌｎが指示手段Ｐによって遮られた場合、そのプローブ光Ｌｎは光学ユニット２７の受光素子３９によって受光されることはないため、プローブ光Ｌｎに対応する光学ユニット２７の受光素子３９上の所定の位置Ｘｎが光強度の弱い領域（暗点）となる。この光強度の弱い領域（暗点）である位置Ｘｎは、受光素子３９から出力される光強度の波形にピーク点として出現することになるので、ＣＰＵ４０は、このような光強度の波形におけるピーク点の出現を電圧の変化により認識し、この光強度の波形のピーク点となった暗点の位置Ｘｎを検出する。なお、位置Ｘｎの検出は、光強度が予め定められた値以下になった場合に行われる。
【００４４】
また、光強度の波形のピーク点となった暗点位置Ｘｎが検出されると、暗点位置Ｘｎから受光素子３９の中心画素までの距離が、例えば受光素子３９の画素番号（例えば、図６においては、画素番号ｍ）に基づいて検出される。
【００４５】
光強度の弱い領域（暗点）である位置Ｘｎ（左側光学ユニット２７Ｌの受光素子３９上ではＸｎＬ，右側光学ユニット２７Ｒの受光素子３９上ではＸｎＲ）は、遮られたプローブ光の出射／入射角θｎと対応しており、Ｘｎを検出することによりθｎを知ることができる。即ち、暗点位置Ｘｎから受光素子３９の中心画素までの距離をａとすると、θｎはａの関数として、
θｎ＝ｔａｎ−１（ａ／ｆ）　　　………………………………（１）
と表すことができる。ただし、ｆはシリンドリカルレンズ３８の焦点距離である。ここで、左側光学ユニット２７ＬにおけるθｎをθｎＬ、ａをＸｎＬと置き換える。
【００４６】
さらに、図５において、左側光学ユニット２７Ｌと情報入力領域３ａとの幾何学的な相対位置関係の変換係数ｇにより、指示手段Ｐと左側光学ユニット２７Ｌとのなす角度θＬは、（１）式で求められるＸｎＬの関数として、
θＬ＝ｇ（θｎＬ）　　　………………………………（２）
ただし、θｎＬ＝ｔａｎ−１（ＸｎＬ／ｆ）
と表すことができる。
【００４７】
同様に、右側光学ユニット２７Ｒについても、上述の（１）（２）式中の記号Ｌを記号Ｒに置き換えて、右側光学ユニット２７Ｒと情報入力領域３ａとの幾何学的な相対位置関係の変換係数ｈにより、
θＲ＝ｈ（θｎＲ）　　　………………………………（３）
ただし、θｎＲ＝ｔａｎ−１（ＸｎＲ／ｆ）
と表すことができる。
【００４８】
ここで、左側光学ユニット２７Ｌの受光素子３９の中心位置と右側光学ユニット２７Ｒの受光素子３９の中心位置との距離を図５に示すｗとすると、情報入力領域３ａ内の指示手段Ｐで指示した点の２次元座標（ｘ，ｙ）は、三角測量の原理により、
ｘ＝ｗ・ｔａｎθＲ／（ｔａｎθＬ＋ｔａｎθＲ）　………………（４）
ｙ＝ｗ・ｔａｎθＬ・ｔａｎθＲ／（ｔａｎθＬ＋ｔａｎθＲ）……（５）
として算出することができる。
【００４９】
これらの（１）（２）（３）（４）（５）式は制御プログラムの一部として予めハードディスク４６や記録媒体４９に格納されており、（１）（２）（３）（４）（５）式により、指示手段Ｐの位置座標（ｘ，ｙ）は、ＸｎＬ，ＸｎＲの関数として算出される。すなわち、左側光学ユニット２７Ｌの受光素子３９上の暗点の位置と右側光学ユニット２７Ｒの受光素子３９上の暗点の位置とを検出することで、指示手段Ｐの位置座標（ｘ，ｙ）が算出されることになる。
【００５０】
このようにして算出された指示手段Ｐの位置座標（ｘ，ｙ）は、コントローラ１０を介してコンピュータへと出力され、所定の処理に用いられることになる。
【００５１】
そして、このような情報入力装置３Ａによれば、タッチパネル面のような物理的な面を有さず、また、特殊な材料・機構を必要としないので、情報入力装置３を表示装置２の表示面２ａに装着して使用した場合には、情報入力領域３ａにおいて、無視差、完全透明、高い描画感を実現することが可能になっている。
【００５２】
Ｂ．第２の情報入力装置
次に、第２の情報入力装置３Ｂについて図７ないし図９に基づいて説明する。なお、第１の情報入力装置３Ａで説明した部分と同一部分については同一符号を用い、説明も省略する。
【００５３】
この第２の情報入力装置３Ｂは、いわゆる再帰光反射方式の情報入力装置である。
【００５４】
ここで、図７は情報入力装置３Ｂに用いられる指示手段６１を示す斜視図である。また、図８は情報入力装置３Ｂの情報入力領域３ａ内の一点を指示手段６１で指し示した一例を示す正面図である。図７に示すように、情報入力装置３Ｂの情報入力領域３ａ内の一点を指し示すために用いられる所定物体である指示手段６１の先端近傍には、再帰性反射部材６２が設けられている。この再帰性反射部材６２は、例えば円錐形状のコーナーキューブを多数配列して形成されており、入射した光をその入射角度によらずに所定の位置に向けて反射する特性を有している。例えば、左側光学ユニット２７Ｌから投光されたプローブ光Ｌｎは、図８に示すように、再帰性反射部材６２によって反射され、再び同一光路を辿る再帰反射光Ｌｎ´として左側光学ユニット２７Ｌにより受光されることになる。そのため、図８に示すように、情報入力装置３Ｂにおいては、前述した情報入力装置３Ａのように情報入力領域３ａに再帰性反射部材２８を設ける必要はない。なお、指示手段６１はペン状の形状をしており、光沢のある金属製よりゴムやプラスチックなどの材質が望ましい。
【００５５】
したがって、このような指示手段６１の再帰性反射部材６２を備えた先端近傍を情報入力装置３Ｂの情報入力領域３ａの適当な位置（ｘ，ｙ）に挿入し、例えば左側光学ユニット２７Ｌから投光された扇形状の光束膜の中のプローブ光Ｌｎが指示手段６１の再帰性反射部材６２によって反射された場合、その再帰反射光Ｌｎ´は左側光学ユニット２７Ｌの受光素子３９によって受光される。このようにして受光素子３９が再帰反射光Ｌｎ´を受光した場合には、再帰反射光Ｌｎ´に対応する受光素子３９上の所定の位置Ｄｎが光強度の強い領域（明点）となる。つまり、図９に示すように、受光素子３９上では位置Ｄｎの位置に光強度が強い領域が生じ、受光素子３９からの光の強度分布の形状にはピークが出現する。このピークが出現する位置Ｄｎは反射されたプローブ光の出射／入射角θｎと対応しており、Ｄｎを検出することによりθｎを知ることができる。なお、位置Ｄｎの検出は、光強度が予め定められた値を超えた場合に行われる。つまり、このような再帰光反射方式の情報入力装置３Ｂの場合も、前述した再帰光遮蔽方式の情報入力装置３Ａと同様に、光強度の波形に出現するピークに基づく三角測量の手法により指示手段６１の位置座標（ｘ，ｙ）が算出されることになる。
【００５６】
このようにして算出された指示手段６１の位置座標（ｘ，ｙ）は、コントローラ１０を介してコンピュータへと出力され、所定の処理に用いられることになる。
【００５７】
そして、このような情報入力装置３Ｂによれば、タッチパネル面のような物理的な面を有さず、また、特殊な材料・機構を必要としないので、情報入力装置３を表示装置２の表示面２ａに装着して使用した場合には、情報入力領域３ａにおいて、無視差、完全透明、高い描画感を実現することが可能になっている。
【００５８】
Ｃ．第３の情報入力装置
次に、第３の情報入力装置３Ｃについて図１０ないし図１２に基づいて説明する。なお、第１の情報入力装置３Ａで説明した部分と同一部分については同一符号を用い、説明も省略する。
【００５９】
この第３の情報入力装置３Ｃは、第１の情報入力装置３Ａにおける光学ユニットの変形例である。詳細には、第１の情報入力装置３Ａで用いた光学ユニット２７においては扇形状の光束膜を投光して情報入力領域を形成したが、情報入力装置３Ｃにおいては、ポリゴンミラー等の回転走査系を有しており、その回転走査系によって光源から出射された光ビームを放射状に投光して情報入力領域を形成する光学ユニット７０を用いるものである。
【００６０】
ここで、図１０は光学ユニット７０を模式的に示す説明図である。図１０に示すように、光学ユニット７０は、駆動回路（図示せず）を有してレーザ光を出射するＬＤ（Ｌａｓｅｒ　Ｄｉｏｄｅ：半導体レーザ）である発光手段７１とハーフミラー７２とポリゴンミラー７３と集光レンズ７４とで構成される投光手段７０ａと、受光手段として機能する受光素子７５とが備えられている。受光素子７５は、集光レンズ７４から距離ｆ（ｆは集光レンズ７４の焦点距離）の間隔で設けられたＰＤ（Ｐｈｏｔｏ　Ｄｉｏｄｅ）で構成されている。このような光学ユニット７０は、発光手段７１から出射したレーザ光をハーフミラー７２で折り返した後、パルスモータ（図示せず）により所定の角速度ωｔで回転駆動されるポリゴンミラー７３によって放射状に順次反射する。したがって、光学ユニット７０は、ビーム光を放射状に繰り返し投光することになる。つまり、２つの光学ユニット７０から放射状に投光されるビーム光によって情報入力領域３ａが形成されることになる。一方、反射されて光学ユニット７０に入射したビーム光は、ポリゴンミラー７３によって反射され、ハーフミラー７２に到達する。ハーフミラー７２に到達した反射ビーム光は、ハーフミラー７２を透過して受光素子７５に到達し、電気信号に変換される。
【００６１】
次に、このような光学ユニット７０を第１の情報入力装置３Ａで用いた光学ユニット２７に代えて適用した情報入力装置３Ｃについて説明する。図１１に示すように、情報入力領域３ａ中の或る位置に指示手段Ｐが挿入されてあるビーム光が遮蔽されると、そのビーム光は再帰性反射部材２８で反射されることはないことから、受光素子７５に到達することはない。このように情報入力領域３ａ中の或る位置に指示手段Ｐが挿入されてあるビーム光が遮蔽された場合、受光素子７５からの光の強度分布の形状にはディップが出現する。
【００６２】
各部の電気的接続等については技術的に公知であるため詳細な説明は省略するが、図１２に示すように、情報入力領域３ａに指示手段Ｐが挿入されていない場合には光強度は“Ｉ＝Ｉ１”を示すが、情報入力領域３ａに指示手段Ｐが挿入されて受光素子７５に再帰光が戻らない場合には光強度は“Ｉ＝Ｉ０”を示すことになる。このように光強度が“Ｉ＝Ｉ０”である部分が、ディップである。なお、図１２中、時間ｔ＝ｔ０は、ポリゴンミラー７３の回転の基準位置であって、回転走査されるビーム光が所定の角度に達した時点である。
【００６３】
したがって、光強度が“Ｉ＝Ｉ０”となった時間ｔをｔ１であるとすれば、情報入力領域３ａに挿入された指示手段Ｐにより遮蔽されたビーム光の出射角度θは、
θ＝ω（ｔ１−ｔ０）＝ω△ｔ
として算出される。つまり、左右それぞれに設けられた光学ユニット７０（７０Ｌ、７０Ｒ）において情報入力領域３ａに挿入された指示手段Ｐにより遮蔽されたビーム光の出射角度θ（θｎＬ，θｎＲ）が算出され、それらの出射角度θ（θｎＬ，θｎＲ）に基づく三角測量の手法によって指示手段Ｐを挿入した位置座標（ｘ，ｙ）が算出されることになる。
【００６４】
このようにして算出された指示手段Ｐの位置座標（ｘ，ｙ）は、コントローラ１０を介してコンピュータへと出力され、所定の処理に用いられることになる。
【００６５】
そして、このような情報入力装置３Ｃによれば、タッチパネル面のような物理的な面を有さず、また、特殊な材料・機構を必要としないので、情報入力装置３を表示装置２の表示面２ａに装着して使用した場合には、情報入力領域３ａにおいて、無視差、完全透明、高い描画感を実現することが可能になっている。
【００６６】
Ｄ．第４の情報入力装置
次に、第４の情報入力装置３Ｄについて図１３ないし図１４に基づいて説明する。なお、第２の情報入力装置３Ｂ及び第３の情報入力装置３Ｃで説明した部分と同一部分については同一符号を用い、説明も省略する。
【００６７】
この第４の情報入力装置３Ｄは、第２の情報入力装置３Ｂにおける光学ユニットの変形例である。詳細には、第２の情報入力装置３Ｂで用いた光学ユニット２７においては扇形状の光束膜を投光して情報入力領域を形成したが、第４の情報入力装置３Ｄにおいては、ポリゴンミラー等の回転走査系を有しており、その回転走査系によって光源から出射された光ビームを放射状に投光して情報入力領域を形成する光学ユニット７０を用いるものである。なお、光学ユニット７０についての説明は、第３の情報入力装置３Ｃで説明したのでここでは省略する。
【００６８】
このような光学ユニット７０を第２の情報入力装置３Ｂで用いた光学ユニット２７に代えて適用した情報入力装置３Ｄについて説明する。図１３に示すように、情報入力領域３ａ中の或る位置に指示手段６１が挿入された場合、所定のビーム光が指示手段６１の再帰性反射部材６２において再帰反射され、そのビーム光は受光素子７５に到達する。このように情報入力領域３ａ中の或る位置に指示手段６１が挿入されてあるビーム光が再帰反射された場合、受光素子７５からの光の強度分布の形状にはピークが出現する。
【００６９】
各部の電気的接続等については技術的に公知であるため詳細な説明は省略するが、図１４に示すように、情報入力領域３ａに指示手段６１が挿入されていない場合には光強度は“Ｉ＝Ｉ０”を示すが、情報入力領域３ａに指示手段６１が挿入されて受光素子７５に再帰光が到達した場合には光強度は“Ｉ＝Ｉ１”を示すことになる。このように光強度が“Ｉ＝Ｉ１”である部分が、ピークである。なお、図１４中、時間ｔ＝ｔ０は、ポリゴンミラー７３の回転の基準位置であって、回転走査されるビーム光が所定の角度に達した時点である。
【００７０】
したがって、光強度が“Ｉ＝Ｉ１”となった時間ｔをｔ１であるとすれば、情報入力領域６３に挿入された指示手段６１により再帰反射されたビーム光の出射角度θは、
θ＝ω（ｔ１−ｔ０）＝ω△ｔ
として算出される。つまり、左右それぞれに設けられた光学ユニット７０（７０Ｌ、７０Ｒ）において情報入力領域３ａに挿入された指示手段６１により再帰反射されたビーム光の出射角度θ（θｎＬ，θｎＲ）が算出され、それらの出射角度θ（θｎＬ，θｎＲ）に基づく三角測量の手法によって指示手段６１を挿入した位置座標（ｘ，ｙ）が算出されることになる。
【００７１】
このようにして算出された指示手段６１の位置座標（ｘ，ｙ）は、コントローラ１０を介してコンピュータへと出力され、所定の処理に用いられることになる。
【００７２】
そして、このような情報入力装置３Ｄによれば、タッチパネル面のような物理的な面を有さず、また、特殊な材料・機構を必要としないので、情報入力装置３を表示装置２の表示面２ａに装着して使用した場合には、情報入力領域３ａにおいて、無視差、完全透明、高い描画感を実現することが可能になっている。
【００７３】
以上、本実施の形態の情報入出力システム１に適用し得る情報入力装置３として、再帰光遮蔽方式の情報入力装置３Ａ、再帰光反射方式の情報入力装置３Ｂ、回転走査系を有する再帰光遮蔽方式の情報入力装置３Ｃ、回転走査系を有する再帰光反射方式の情報入力装置３Ｄについて、その基本構成及び原理を説明したが、これらは本実施の形態の情報入出力システム１に適用し得る情報入力装置３の一例であって、本発明はこれらの方式に限定されるものではなく、本発明は、光学式の情報入力装置全般について適用されることは言うまでもない。
【００７４】
なお、以下においては、情報入力装置３として再帰光遮蔽方式の情報入力装置３Ａを適用したものを例示的に示す。
【００７５】
続いて、表示装置２の構成について説明する。ここで、図１５は表示装置２を主体に情報入出力システム１の内部構造を概略的に示す縦断側面図である。図１５に示すように、情報入出力システム１に備えられる表示装置２は、背面投影型プロジェクタ（液晶リアプロジェクタ）であって、映像源としてＲＧＢ各色に対応した３枚の液晶パネル（図示せず）等からなる光学系８１を用い、この光学系８１によって形成された画像を１個の投射レンズ８２で拡大投射するものである。より具体的には、筐体１ａ内の下方に配置されている光学系８１で形成された画像は、投射レンズ８２によって拡大され、図中矢印で示されているようにミラー８３，８４で反射されてスクリーンユニット８５に到達する。
【００７６】
本実施の形態のスクリーンユニット８５は、映像源側に配置されるフレネルレンズシート８６と、このフレネルレンズシート８６の後段に配置されるレンチキュラースクリーン８７と、情報入力装置３の情報入力領域３ａ側に配置される拡散シート８８と、によって構成されている。フレネルレンズシート８６は、投射レンズ８２を介して光学系８１から投射された映像光を集光し、レンチキュラースクリーン８７に表示する。レンチキュラースクリーン８７は光拡散剤を含んで構成されており、映像光がこの光拡散剤により透過散乱することでレンチキュラースクリーン８７には画像が投影されることになる。
【００７７】
また、情報入力装置３の情報入力領域３ａ側に配置される光拡散部材である拡散シート８８は、太陽光や蛍光灯からの外光を拡散させ、表示装置２の表示面２ａの反射や表示装置２の表示面２ａへの映り込みを防止するものである。このように拡散シート８８によって蛍光灯等の外光の映り込み等を防止することにより、レンチキュラースクリーン８７に投影される映像の視認性を向上させることができる。
【００７８】
そして、このようなスクリーンユニット８５は、断面がＬ字形状のパネル固定部材９１によりその全周囲を覆うようにして保持されることにより、筐体１ａ内に固定されている。
【００７９】
図示することは省略するが、このような表示装置２には、ビデオ入力端子やスピーカーが設けられており、ビデオプレイヤーをはじめ、その他レーザディスクプレイヤー、ＤＶＤプレイヤー、ビデオカメラ等の各種情報機器やＡＶ機器を接続し、表示装置２を大画面モニタとして利用することが可能な構成になっている。
【００８０】
ところで、情報入力装置３は、前述したように検出方式が光であるため、情報入力装置３の光学ユニット２７（左側光学ユニット２７Ｌ、右側光学ユニット２７Ｒ）が外光を受光してしまった場合には、光束膜を形成するプローブ光を遮蔽したことが検知されずに情報入力装置３の情報入力領域３ａにおける指示位置が検出されないという不具合を生じることがある。また、情報入力装置３の再帰性反射部材２８に外光が入射してしまった場合には、検出光と外乱光とが入り混じり、検出Ｓ／Ｎ比が低下し、誤動作を生じる場合がある。そこで、本実施の形態の情報入出力システム１においては、このような不具合を解消すべく、光学ユニット２７（左側光学ユニット２７Ｌ、右側光学ユニット２７Ｒ）への外光の入射を遮断するカバー８９と、再帰性反射部材２８への外光の入射を遮断するカバー９０とを筐体１ａに配設している。なお、特に図示しないが、カバー９０は上部の再帰性反射部材２８のみならず、左右方向に位置する再帰性反射部材２８への外光の入射を遮断する位置にも配設されている。また、これらのカバー８９及びカバー９０は、スクリーンユニット８５に投影された映像が隠れないような位置に位置付けられている。
【００８１】
ところが、前述したように、表示装置２のスクリーンユニット８５には、太陽光や蛍光灯からの外光を拡散させる拡散シート８８が設けられている。図１６に示すように、外光ｏが拡散シート８８において拡散される場合には、正反射成分ｐとその乱反射光である拡散成分ｑとに分散されて反射されることから、この拡散シート８８からの乱反射光により、光学ユニット２７（左側光学ユニット２７Ｌ、右側光学ユニット２７Ｒ）及び再帰性反射部材２８が受ける影響も考慮しなければならない。
【００８２】
本実施の形態のように光学式の情報入力装置３を用いた場合には、発光及び受光のための光路確保が不可欠であるため、上記拡散成分ｑを全て排除することは不可能である。しかしながら、実使用上（明るい室内、窓際等）では、外部照度１００００ＬＸ程度の環境下での基本的な性能を確保する必要がある。ここでは、光学ユニット２７（左側光学ユニット２７Ｌ、右側光学ユニット２７Ｒ）に入射する外光の出力電圧レベルが０．９Ｖ以下であれば上記環境下において基本的な性能を発揮する。そこで、本実施の形態の情報入出力システム１においては、光学ユニット２７（左側光学ユニット２７Ｌ、右側光学ユニット２７Ｒ）に対する拡散成分ｑの入射量を抑制すべく、種々の措置が講じられている。
【００８３】
拡散シート８８は、ヘーズ値（ヘーズ値＝（拡散光透過率／全光線透過率）×１００）に応じて拡散成分ｑの拡がりが異なることが解かっている。ここで、図１７（ａ）はヘーズ値が低い拡散シート８８での拡散成分ｑの拡がりを示し、（ｂ）はヘーズ値が高い拡散シート８８での拡散成分ｑの拡がりを示したものである。すなわち、ヘーズ値が低いほうが拡散成分ｑの拡がりが狭くなる。
【００８４】
すなわち、表示装置２の表示面２ａへの蛍光灯等の外光の映り込み等を防止するためには、拡散シート８８のヘーズ値が大きいほど有効になるが、その場合には逆に乱反射成分が多くなり、光学ユニット２７（左側光学ユニット２７Ｌ、右側光学ユニット２７Ｒ）及び再帰性反射部材２８に対する悪影響が懸念される。このため、表示装置２の表示面２ａへの蛍光灯等の外光の映り込み等の防止と、情報入力装置３の指示位置の検出精度の確保とを考慮すると、拡散シート８８のヘーズ値は１０％以下が望ましい。
【００８５】
そこで、本実施の形態においては、拡散シート８８として、ヘーズ値５％（全光線透過率９０％）のものを採用し、光学ユニット２７（左側光学ユニット２７Ｌ、右側光学ユニット２７Ｒ）及び再帰性反射部材２８に対する拡散シート８８からの反射光の拡散成分ｑの入射を抑制している。
【００８６】
なお、前述したように、ヘーズ値は“（拡散光透過率／全光線透過率）×１００”で規定される。そのため、拡散シート８８として全光線透過率の低いものを採用することによりヘーズ値が一定であっても拡散光成分を少なくし、光学ユニット２７（左側光学ユニット２７Ｌ、右側光学ユニット２７Ｒ）及び再帰性反射部材２８に対する拡散シート８８からの反射光の拡散成分ｑの入射を抑制することが可能である。しかしながら、全光線透過率が低い場合は、表示装置２の表示面２ａへの蛍光灯等の映り込みを軽減することができるが映像の透過も妨げることとなり、視認性を劣化させてしまう。したがって、表示装置２の視認性の観点から、全光線透過率は８５％以上のものが望ましい。
【００８７】
また、反射光の拡散成分ｑは少なからず乱反射する。特に、光学ユニット２７（左側光学ユニット２７Ｌ、右側光学ユニット２７Ｒ）及び再帰性反射部材２８の近傍における乱反射光は、光学ユニット２７（左側光学ユニット２７Ｌ、右側光学ユニット２７Ｒ）及び再帰性反射部材２８に入射する可能性がある。そこで、本実施の形態においては、スクリーンユニット８５を保持するパネル固定部材９１がスクリーンユニット８５の全周囲を覆うように配置されており、このパネル固定部材９１が光学ユニット２７（左側光学ユニット２７Ｌ、右側光学ユニット２７Ｒ）及び再帰性反射部材２８の近傍に位置していることから、このパネル固定部材９１を乱反射光を吸収するような部材（乱反射抑制部材）で構成することにより、光学ユニット２７（左側光学ユニット２７Ｌ、右側光学ユニット２７Ｒ）及び再帰性反射部材２８に対する拡散シート８８からの反射光の拡散成分ｑの入射をさらに抑制することが可能である。
【００８８】
加えて、本実施の形態においては、外光ｏの正反射成分ｐ及び拡散成分ｑの筐体１ａ内における再反射を抑制すべく、筐体１ａの内部を光吸収率の高い黒色部材で構成している。これにより、さらなる光学ユニット２７（左側光学ユニット２７Ｌ、右側光学ユニット２７Ｒ）及び再帰性反射部材２８に対する拡散シート８８からの反射光の拡散成分ｑの入射の抑制が可能になっている。
【００８９】
【発明の効果】
請求項１記載の発明の情報入出力システムによれば、画像を表示する表示装置と、この表示装置の表示面上に発光手段からの光によって二次元の情報入力領域を生成し、前記発光手段からの光を受光手段で受光することで前記情報入力領域に挿入された物体の二次元の位置座標を検出して入力情報として出力する情報入力装置と、を備え、前記表示装置の前記表示面に、外光を拡散させる光拡散部材を配設し、光拡散部材によって蛍光灯等の外光を拡散するようにしたことにより、蛍光灯等の外光の映り込み等を防止することができるので、表示装置の表示面に投影される映像の視認性を向上させることができる。
【００９０】
請求項２記載の発明によれば、請求項１記載の情報入出力システムにおいて、前記光拡散部材のヘーズ値を、当該光拡散部材により拡散された乱反射光の前記受光手段に対する入射を抑制可能な値に設定することにより、情報入力装置における検出Ｓ／Ｎ比の低下や、情報入力装置の誤動作を防止することができる。
【００９１】
請求項３記載の発明によれば、請求項２記載の情報入出力システムにおいて、前記光拡散部材のヘーズ値は、１０％以下に設定されることにより、光拡散部材により拡散された乱反射光の拡がりを狭くすることができるので、受光手段に対する乱反射光の入射を抑制することができる。
【００９２】
請求項４記載の発明によれば、請求項３記載の情報入出力システムにおいて、前記光拡散部材の全光線透過率は、８５％以上であることにより、表示装置の表示面に投影される映像を十分に透過させることができるので、表示映像の視認性の劣化を防止することができる。
【００９３】
請求項５記載の発明によれば、請求項１ないし４の何れか一記載の情報入出力システムにおいて、乱反射光の反射を抑制する乱反射抑制部材を、少なくとも前記情報入力装置の前記受光手段側に位置する前記表示装置の前記表示面の周囲を覆うように配設したことにより、受光手段に対する乱反射光の入射をさらに抑制することができる。
【００９４】
請求項６記載の発明によれば、請求項１ないし５の何れか一記載の情報入出力システムにおいて、システム筐体の内部を光吸収率の高い黒色部材で構成し、乱反射光のシステム筐体内における再反射を抑制することにより、さらなる受光手段に対する乱反射光の入射を抑制することができる。
【図面の簡単な説明】
【図１】本発明の実施の一形態の情報入出力システムを概略的に示す外観斜視図である。
【図２】第１の情報入力装置の構成を概略的に示す説明図である。
【図３】光学ユニットの構造を概略的に示す構成図である。
【図４】コントローラのブロック構成図である。
【図５】第１の情報入力装置の情報入力領域内の一点を指示手段で指し示した一例を示す正面図である。
【図６】ＣＣＤの検出動作を模式的に示す説明図である。
【図７】第２の情報入力装置に用いられる指示手段を示す斜視図である。
【図８】第２の情報入力装置の情報入力領域内の一点を指示手段で指し示した一例を示す正面図である。
【図９】ＣＣＤの検出動作を模式的に示す説明図である。
【図１０】第３の情報入力装置に用いられる光学ユニットを模式的に示す説明図である。
【図１１】第３の情報入力装置の情報入力領域内の一点を指示手段で指し示した一例を示す正面図である。
【図１２】光強度と時間との関係を示すグラフである。
【図１３】第４の情報入力装置の情報入力領域内の一点を指示手段で指し示した一例を示す正面図である。
【図１４】光強度と時間との関係を示すグラフである。
【図１５】表示装置を主体に情報入出力システムの内部構造を概略的に示す縦断側面図である。
【図１６】拡散シートによる外光の拡散状態を示す説明図である。
【図１７】（ａ）はヘーズ値が低い拡散シートでの拡散成分の拡がりを示し、（ｂ）はヘーズ値が高い拡散シートでの拡散成分の拡がりを示す説明図である。
【符号の説明】
１　　　　情報入出力システム
１ａ　　　システム筐体
２　　　　表示装置
２ａ　　　表示面
３　　　　情報入力装置
３ａ　　　情報入力領域
３１，７１　　　発光手段
３９，７５　　　受光手段
８８　　　光拡散部材
９１　　　乱反射抑制部材
【図１】
2004005200.tif 000003
【図２】
2004005200.tif 000004
【図３】
2004005200.tif 000005
【図４】
2004005200.tif 000006
【図５】
2004005200.tif 000007
【図６】
2004005200.tif 000008
【図７】
2004005200.tif 000009
【図８】
2004005200.tif 000010
【図９】
2004005200.tif 000011
【図１０】
2004005200.tif 000012
【図１１】
2004005200.tif 000013
【図１２】
2004005200.tif 000014
【図１３】
2004005200.tif 000015
【図１４】
2004005200.tif 000016
【図１５】
2004005200.tif 000017
【図１６】
2004005200.tif 000018
【図１７】
2004005200.tif 000019